(57)【要約】【課題】  安価な、例えばコンクリート又は無機物焼結体よりなる透水性筒状体利用の、簡易な堆肥化・減容装置を提供する。【解決手段】  例えばコンクリート又は無機物焼結体よりなり、直立筒状に形成された透水性筒状体５０及びその透水性筒状体５０の上部開口が前記有機廃棄物の投入用の蓋６１を有する屋根６０で覆われ、前記筒状体５０の下部には空気導入用の下部開口５２が設けられ、その下部開口５２の上方には、投入された有機廃棄物乃至それの発酵によって生じた堆肥よりなる固形物を支えると共に、前記下部開口５２から導入された空気が通過し、且つ前記有機廃棄物の堆肥化によって生じた細粒が通過し、落下可能な格子７０が設けられている。【選択図】    図１
2005170779.tif 000002
【特許請求の範囲】
【請求項１】
直立筒状の有機廃棄物の堆肥化減容装置であって、直立筒状に形成された透水性筒状体（５０）及びその筒状体（５０）の上部開口（５１）が前記有機廃棄物の投入用の蓋（６１）を有する屋根（６０）で覆われ、前記筒状体（５０）の下部には空気導入用の下部開口（５２）が設けられ、その下部開口（５２）の上方には、投入された有機廃棄物乃至それの発酵によって生じた堆肥よりなる固形物を支えると共に、前記下部開口（５２）から導入された空気が通過し、且つ前記有機廃棄物の堆肥化によって生じた細粒が通過し、落下可能な格子（７０）が設けられている
ことを特徴とする、有機廃棄物の堆肥化減容装置。
【請求項２】
前記筒状体（５０）が下から上に向って先細に形成されている
ことを特徴とする、請求項１に記載の有機廃棄物の堆肥化減容装置。
【請求項３】
前記筒状体（５０）が、コンクリート又は無機物焼結体よりなる、複数個の直方体状又は略直方体状のブロック（ＣＢ）が組み合わされた多角形枠体（Ｆ）が複数段積重ねられることによって形成されている
ことを特徴とする、請求項１又は２に記載の有機廃棄物の堆肥化減容装置。
【請求項４】
前記ブロック（ＣＢ）が、その側面の長手方向の一端に、その側面に垂直、鉤状に突条（１７）が突設されたものであって、その４個のブロック（ＣＢ）の組み合わせによって正方形状枠体（Ｆ）が形成されるに当って、それぞれ隣り合う２つブロック（ＣＢ，ＣＢ）の一方（ＣＢ）の、突条（１７）が突設されない側の端部の外側の角部（Ｃ１）が、他方の突条（１７）の付け根の内側の角部（Ｃ２）に嵌合されるよう構成されている
ことを特徴とする、請求項３に記載の有機廃棄物の堆肥化減容装置。
【請求項５】
前記ブロック（ＣＢ）は、基準の長さの直方体状の主部分（１１）と，その主部分（１１）と同一断面、且つ任意の長さの直方状部分（１６）の一端に、その側面に垂直、鉤状に突条（１７）が突設された副部分（１５）と，が直接又は結合部材（Ｊ）を介して一体的に結合されたものである
ことを特徴とする、請求項４に記載の有機廃棄物の堆肥化減容装置。
【請求項６】
前記ブロック（ＣＢ）の長手方向に垂直な一端面（Ａ）に高さ方向に伸長する突条（２１）が形成され、且つ、他の端面（Ａ）、又は他の端部、長手方向に平行な側面（Ｂ）に、高さ方向に伸長する凹溝（２２）が形成されており、前記ブロック（ＣＢ，ＣＢ）の二つの一方（ＣＢ）の突条（２１）が他方（ＣＢ）の凹溝（２２）に、高さ方向に差し込まれることによって、そのブロック（ＣＢ，ＣＢ）の二つが直線状又は垂直に連結されるよう構成されている、
ことを特徴とする、請求項３に記載の有機廃棄物の堆肥化減容装置。
【請求項７】
前記ブロック（ＣＢ）の一方の側の端面（Ａ）に上から見て、その幅に等しい長さを有する段差部分（Ｋ）が結合され、その段差部分（Ｋ）の中心を通って、その段差部分（Ｋ）が形成されない側に向って、高さ方向に伸びる突起（３１）が突設され、また、他方の側の端面（Ａ）から、前記一方の側の段差部分（Ｋ）の長さだけ、その高さに相当する部分が欠除され、欠除されず、残った段差部分（Ｌ）の、少なくとも前記他方の欠除された側の中心に開口し、高さ方向に伸びる穴（３２）が穿けられ、しかも、前記ブロック（ＣＢ，ＣＢ）の２つが、前記２つの段差部分（Ｋ，Ｌ）の相対する上下の面（Ｍ，Ｎ）を接した状態で、その一方（ＣＢ）の突起（３１）が、他方（ＣＢ）の穴（３２）に、その伸長方向にのみ嵌合することによって、そのブロック（ＣＢ，ＣＢ）の二つが直線状又は垂直、Ｌ字状に連結されるよう構成されている
ことを特徴とする、請求項３に記載の有機廃棄物の堆肥化減容装置。
【発明の詳細な説明】
【技術分野】
【０００１】
本発明は、透水性直立筒状の簡易且つ無臭の有機廃棄物の堆肥化減容装置に関する。
【背景技術】
【０００２】
従来の技術の概要とその問題点を記す。  
家庭又は個人用のいわゆる生ごみと称する有機廃棄物の簡易な堆肥化減容装置が市販されている。その一つの従来例に、底が取り外された逆さまのバケツ状のプラスチック製容器が地面に置かれ、それの上側の開口が蓋で覆われ、下部に蓋付きの堆肥取り出し口が設けられ、台所等で生ごみが少し溜まると、前記蓋が開けられ、投入され、容器が堆肥で一杯になったときには、下部取り出し口から堆肥が取り出されるよう構成されたものがある。  しかも、その蓋には防臭剤が保持されるポケットが設けられ、消耗品として生ごみ発酵促進剤、防臭剤、防虫剤等が添加されるようになっている（例えば非特許文献１参照。）。
【０００３】
しかしながら、生ごみの堆肥化は期待に反して進行が遅く、容器が短期間に一杯になり、そのうえ、生ごみが腐敗し、悪臭が漂って家族や周囲の人に不快感を与えると言う苦情がよく聞かれる。この装置は悪臭洩れ防止のためか、密閉構造になっており、それに伴なう空気の供給不足がその主因と推察される。なお、下部取り出し口が設けられていても、通常は閉じられたままであり、その堆肥が上方の堆積物によって圧縮され、固着しているせいか、熊手等によっても取り出し困難であって、あまり役に立たず、取り出しの都度容器全体の持上げが必要であった。
【０００４】
【非特許文献１】アイリスオオヤマ社製のコンポスト（生ゴミ処理容器）  型番  IC−１３０
【発明の開示】
【発明が解決しようとする課題】
【０００５】
以上のことから、本発明は、上記した従来技術の欠点を除くために、安価な、例えばコンクリート又は無機物焼結体よりなる透水性筒状体利用の、簡易・簡便な堆肥化・減容装置を提供することにある。
【課題を解決するための手段】
【０００６】
上記の目的を達するために、請求項１の発明の有機廃棄物の堆肥化・減容装置は、直立筒状に形成された透水性筒状体５０及びその筒状体５０の上部開口５１が前記有機廃棄物の投入用の蓋６１を有する屋根６０で覆われ、前記筒状体５０の下部には空気導入用の下部開口５２が設けられ、その下部開口５２の上方には、投入された有機廃棄物乃至それの発酵によって生じた堆肥よりなる固形物を支えると共に、前記下部開口５２から導入された空気が通過し、且つ前記有機廃棄物の堆肥化によって生じた細粒が通過し、落下可能な格子７０が設けられている。
【０００７】
請求項２の発明は、請求項１の発明の構成に加えて、前記筒状体５０が下から上に向って先細に形成されている。
【０００８】
請求項３の発明は、請求項１又は２の発明の構成に加えて、前記筒状体５０が、コンクリート又は無機物焼結体よりなる、複数個の直方体状又は略直方体状のブロックＣＢが組み合わされた多角形枠体Ｆが複数段積重ねられることによって形成されている。
【０００９】
請求項４の発明は、請求項３の発明の構成に加えて、前記ブロックＣＢが、コンクリートブロックであり、且つその側面の長手方向の一端に、その側面に垂直、鉤状に突条１７が突設されたものであって、その４個のブロックＣＢの組み合わせによって正方形状枠体Ｆが形成されるに当って、それぞれ隣り合う２つブロックＣＢ，ＣＢの一方ＣＢの、突条１７が突設されない側の端部の外側の角部Ｃ１が、他方の突条の付け根の内側の角部Ｃ２に嵌合されるよう構成されている。
【００１０】
請求項５の発明は、請求項４の発明の構成に加えて、前記ブロックＣＢは、基準の長さの直方体状の主部分１１の一端と，その主部分１１と同一断面、且つ任意の長さの直方状部分１６の一端に、その側面に垂直、鉤状に突条１７が突設された副部分１５の他端と，が直接又は結合部材Ｊを介して一体的に結合されたものである。
【００１１】
請求項６の発明は、請求項３の発明の構成に加えて、前記ブロックＣＢの長手方向に垂直な一端面Ａに高さ方向に伸長する突条２１が形成され、且つ、他の端面Ａ、又は他の端部、長手方向に平行な側面Ｂに、高さ方向に伸長する凹溝２２が形成されており、前記ブロックＣＢ，ＣＢの二つの一方ＣＢの突条２１が他方の凹溝２２に、高さ方向に差し込まれることによって、そのブロックＣＢ，ＣＢの二つが直線状又は垂直Ｌ字状に連結されるよう構成されている。
【００１２】
請求項７の発明は、請求項３の発明の構成に加えて、前記ブロックＣＢの一方の側の端面Ａに上から見て、その幅に等しい長さを有する段差部分Ｋが結合され、その段差部分Ｋの中心を通って、その段差部分Ｋが形成されない側に向って、高さ方向に伸びる突起３１が突設され、また、他方の側の端面Ａから、前記一方の側の段差部分Ｋの長さだけ、その高さに相当する部分が欠除され、欠除されず、残った段差部分Ｌの、少なくとも前記他方の欠除された側の中心に開口し、高さ方向に伸びる穴３２が穿けられ、しかも、前記ブロックＣＢ，ＣＢの２つが、前記２つの段差部分Ｋ，Ｌの相対する上下の面Ｍ，Ｎを接した状態で、その一方ＣＢの突起３１が、他方ＣＢの穴３２に、その伸長方向にのみ嵌合することによって、そのブロックＣＢ，ＣＢの二つが直線状又は垂直、Ｌ字状に連結されるよう構成されている。
【発明の効果】
【００１３】
請求項１の発明によれば、直立の透水性筒状体の上部から投入され、下部の格子７０で支えられ、内部に堆積された、水分を含む有機廃棄物に対して、下部開口５２、筒状体５０を構成する、中空、且つ透水性筒状体を通じて、好気性菌の増殖に必要な空気が十分に供給されると共に、有機廃棄物に含まれる過剰な水分が外部に排出されるため、上部から投入され、適当な水分となった有機廃棄物は次々と好気性菌によって発酵し、堆肥化される。従って、投入された水分を含む有機廃棄物は、それの腐敗に伴なう悪臭を発することもなく、減容且つ細粒化された堆肥となり、下部格子７０から開口５２に落下するため、外部に容易に取り出し可能である。
【００１４】
また、例えば、透水性筒状体の中央部に堆積された有機廃棄物に対しては、透水性筒状体内、格子７０上に、例えば、側面に多くの小貫通孔を有する中空管が立設されることは、下部開口５２から進入した空気が、前記中空管の多くの小貫通孔を通じて有機廃棄物に供給されるため、その堆肥化促進のうえから好ましいことである。さらに、例えば上部開口５１も屋根６０によって完全に覆われるのではなく、給排気口を設け、給排気できるよう構成する。なお、そこから蝿等が進入しないよう網状の隔壁を設ける。もし、不意に蠅等の進入によって産卵することがあっても、新しい生ゴミが投入されることによってその卵が孵化し、羽化するまでには、堆肥化が進む有機廃棄物と共に降下し、死滅する。
【００１５】
請求項２の発明によれば、請求項１の発明の効果に加えて、その透水性筒状体内面が下から上に向って先細に形成されていて、下外向きに拡がっているため、固形物が内面に押付けられる度合が極めて小さく、従って内面への付着する度合も極めて小さいため、上部から投入され、内部に堆積された有機廃棄物は、堆肥化、減容され、棚吊りを起こすことなく、順調に降下する。
【００１６】
請求項３の発明によれば、請求項１又は２の発明の効果に加えて、前記透水性筒状体が、安価、且つ手で容易に持てる大きさの複数個のブロックの組み合わせ、積重ねによって、素人が格別の技能や道具なしに、容易に形成可能であり、極めて経済的である。
【００１７】
請求項４の発明によれば、請求項３の発明の効果に加えて、前記透水性筒状体５０え構成する複数の正方形状枠体Ｆは、それぞれ４つの角の突条２７によって、容易に移動、型崩れし難いように固定されており、その型崩れ防止のためのワイヤ・バンド等による各正方形状枠体Ｆの締め付けは不要となる。
【００１８】
請求項５の発明によれば、請求項４の発明の効果に加えて、市販の大量生産され、安価な、基準の長さのコンクリートブロックである主部分に、簡単な型枠され準備されれば、それに生コンが注入され、所望の長さの副部分が一体的に結合されるだけで、所望の長さのブロックが容易、且つ安価に製作される。従って、それの組み合わせによる、大きさの異なる正方形状枠体の形成が著しく容易になると共に、それの積重ねによる先細の透水性筒状体の形成も著しく容易になる。なお釘等の棒状鉄筋が前記両者の結合補強材として用いられることが好ましい。
【００１９】
請求項６の発明によれば、請求項３の発明の効果に加えて、二つのブロックＣＢ，ＣＢが容易に、且つ精確に長手水平方向、直線状又はＬ字状に接合、配列される。しかも、その接合・配列の状態は、モルタル等の接合手段がなくても、安定的に保持され、いずれか一つのブロックＣＢが側面を下にして倒れたり、いずれか一つのブロックＣＢがそれに接合された他方のブロックＣＢに対して、上から見て、前後左右にずれたり、折れたりすることはなく、その４つによって得られた正方形状枠体は、締め付け部材がなくても、型崩れしない。
【００２０】
請求項７の発明によれば、請求項３の発明の効果に加えて、例えば一方のブロックＣＢの穴１１２に他方の突起１１が嵌合されることによって、二つ以上のブロックＣＢが容易に且つ精確に長手水平方向、直線状又はＬ字状に接合、配列される。しかも、その接合の状態は、何らのモルタル等の接合手段がなくても、強固に保持され、いずれか一つのブロックＣＢが側面を下にして倒れたり、上から見て、互いに、ずれたり、折れたりすることはなく、その４つによって得られた正方形状枠体は、締め付け部材がなくても、型崩れしない。
【発明を実施するための最良の形態】
【００２１】
本発明の有機廃棄物の堆肥化減容装置を実施するための第１の形態例について図１により説明すると、その（ａ），（ｂ）に示すように、５０は下から上に向って先細、直立の透水性筒状体であって、１辺の長さが異なる複数の正方形状枠体Ｆが７段積重ねられたものである。なお、その正方形状枠体Ｆは、図（ｃ）に示すように、ブロックＣＢの４個が、中空部Ｈが貫通する面を上下にして、同一水平面上に組み合わされることによって形成されたものである。なお、１００は筒状体５０を支える基礎であって、ブロックＣＢの複数個がその中空部Ｈが水平に貫通するよう、その側面を上にして敷かれたものである。
【００２２】
前記透水性筒状体５０の構成部材としては、市販のコンクリートブロックが安価で容易に入手可能であり、好ましいが、前記正方形状枠体Ｆが型崩れしないよう、ワイヤ・バンド等の締め付け部材が準備されなければならないことから、後述の、それを必要としないコンクリートブロックの変型品がより好ましい。その他、一体品やブロックが粘土成形体の素焼き等の無機物焼結体であってもよい。
【００２３】
前記筒状体５０の上部開口５１は、雨水が入らないよう、有機廃棄物の投入用の蓋６１及び投入口６２を有する屋根６０で覆われている。なお、その屋根６０は、側面が留具６３によって筒状体５０に固定されており、また側面にはその筒状体５０に空気が出入可能な通気窓６４が設けられている。さらに、前記筒状体５０の下部には空気導入用の下部開口５２が設けられている。その下部開口５２の上方には、投入された有機廃棄物乃至それの発酵によって生じた堆肥よりなる固形物を支えると共に、前記開口から導入された空気が通過し、且つ前記有機廃棄物の堆肥化によって生じた細粒が通過し、落下可能な、複数の棒状体よりなる格子７０が設けられている。
【００２４】
そのうえ、筒状体５０中央部に堆積された有機廃棄物への空気供給促進のため、その内部に、少なくとも１本の、側面に多くの小貫通孔を有する中空管８０が前記格子７０及びそれを貫通する水平の支持棒８１に支えられて、直立している。
【００２５】
作用について説明すると、先ず透水性筒状体５０は、不慣れな者でも、４つの安価なコンクリートブロックＣＢの組み合わせである正方形状枠体Ｆ複数段の積重ねだけによって素人でも格別の技能や道具なしに、容易に組立てられる。
【００２６】
上記直立の透水性筒状体５０の上部から投入され、下部開口５２、上部屋根６０の通気窓６４だけでなく、さらに筒状体５０を構成する、中空部Ｈを有し、透水性、通気性に富むコンクリートブロックＣＢを通じて、好気性菌の増殖に必要な空気が十分に供給されると共に、上部から投入された有機廃棄物に含まれる過剰な水分をはじめ、発酵に伴なって生じた水分、炭酸ガスが外部に排出されるため、適当な水分となった有機廃棄物は次々と好気性菌によって発酵し、投入後放置していても、数か月後には暗褐色・無臭の少量の堆肥となって取り出される。
【００２７】
従って、投入された水分を含む有機廃棄物は、腐敗が起らず、また、それに伴なう悪臭を発することもなく、減容且つ細粒化され、少量の堆肥となって、下部格子７０から開口５２に落下し、外部に容易に取り出し可能であるため、簡易であるにも拘わらず、有機廃棄物の資源化、環境保全に著しく貢献する。なお、通常、生ゴミ処理に必要とされている発酵促進剤の添加、強制通風、撹拌等の処理は全く不要である。
【００２８】
そのうえ、前記中空管８０は、それの多くの小貫通孔を通じて、下部開口５２から進入した空気を有機廃棄物に供給すると共に、その有機廃棄物に含まれる水分や発酵に伴なって生じた水分や炭酸ガスを排出するため、内部の有機廃棄物の腐敗防止、堆肥化促進を内部から支援する。なお、通気窓６４には防虫ネットが張られ、蝿等の侵入防止が図られているが、不意に蝿等が入り、有機廃棄物に産卵することがあっても、新鮮な生ゴミが逐次投入されるため、その卵が孵化し、羽化するまでには、堆肥化が進む有機廃棄物と共に降下し、死滅する。
【００２９】
さらに、その透水性筒状体５０内面が下から上に向って先細に形成されていて、下外向きに拡がっているため、固形物が内面に押付けられる度合が極めて小さく、従って内面への付着する度合も極めて小さいため、上部から投入され、内部に堆積された有機廃棄物は、堆肥化、減容され、棚吊りを起こすことなく、順調に降下する。
【００３０】
前記コンクリートブロックの変型品であるブロックＣＢについて説明する。そのブロックＣＢは、図２に示すように、基準の長さの直方体状の主部分１１（大量生産されている、市販品がそのまま使用可能）の一端と，その主部分１１と同一断面、且つ所望の長さの直方状部分１６の一端に、その側面に垂直、鉤状に突条１７が突設された副部分１５の他端と，が、釘等の棒状鉄筋が前記両者の結合補強材Ｊとして介在することによって、一体的に結合されたものである。
【００３１】
それによって、その側面の長手方向の一端に、その側面に垂直、鉤状に突条１７が突設されたものとなり、その４個の組み合わせによって、図１（ｃ）に示すように、正方形状枠体Ｆが形成された場合、それぞれ隣り合う２つブロックＣＢ，ＣＢの一方ＣＢの、突条１７が突設されない側の端部の外側の角部Ｃ１が、他方ＣＢの突条１７の付け根の内側の角部Ｃ２に嵌合されるよう構成されている。
【００３２】
作用について説明すると、前記透水性筒状体５０を構成する複数の正方形状枠体Ｆは、それぞれ４つの角の突条１７に引っ掛かり、及び互いに接触する面同士の大きな摩擦によって、容易に移動、型崩れし難いように固定されており、その型崩れ防止のためのワイヤ・バンド等による各正方形状枠体Ｆの締め付けは不要である。
【００３３】
そのうえ、市販の大量生産され、安価な、基準の長さのコンクリートブロックである主部分１１に、簡単な型枠さえ準備されれば、それに生コンが注入され、所望の長さの副部分１５が一体的に結合されるだけで、所望の長さのブロックが容易、且つ安価に製作される。従って、それの組み合わせによる、大きさの異なる正方形状枠体Ｆの形成が著しく容易になると共に、それの積重ねによる先細の透水性筒状体５０の形成も著しく容易になる。
なお、その際、釘等の棒状鉄筋が前記両者１１，１５の結合補強材Ｊとして用いられることが望ましい。
【００３４】
第２のブロックＣＢについて図３及び４により説明すると、その長手方向に垂直な一端面Ａに高さ方向に伸長する突条２１が形成され、且つ、他の端面Ａ（図３（ａ）参照）、又は他の端部、長手方向に平行な側面Ｂ（図４（ａ）参照）に、それぞれ高さ方向に伸長する凹溝２２が形成されており、前記ブロックＣＢ，ＣＢの二つの一方ＣＢの突条２１が他方の凹溝２２に、高さ方向に差し込まれることによって、そのブロックＣＢ，ＣＢの二つが直線状（図３（ｂ）参照）又は垂直（図４（ｂ）参照）に連結されるよう構成されている。
【００３５】
作用について説明すると、二つのブロックＣＢ，ＣＢが容易に且つ精確に長手水平方向、直線状（図３（ｂ）参照）又はＬ字状（図４（ｂ）参照）に接合、配列される。しかも、その接合・配列の状態は、モルタル等の接合手段がなくても、安定的に保持され、いずれか一つのブロックＣＢが側面を下にして倒れたり、いずれか一つのブロックＣＢがそれに接合された他方のブロックＣＢに対して、上から見て、前後左右にずれたり、折れたりすることはなく、その４つによって得られた正方形状枠体Ｆは、ワイヤ・バンド等の締め付け部材がなくても、型崩れしない。なお、二つのブロックＣＢ，ＣＢが長手水平方向、直線状に接合、配列されることによって、図示は省略するが、１辺の長さが２倍の正方形状枠体も形成可能である。
【００３６】
第３のブロックＣＢについて図５により説明すると、一方の側の端面Ａに上から見て、その幅に等しい長さを有する段差部分Ｋが結合され、その段差部分Ｋの水平下面Ｍからその中心を通って、その段差部分Ｋが形成されない側に向って、高さ方向に伸びる突起３１が突設され、また、他方の側の端面Ａから、前記一方の側の段差部分Ｋの長さだけ、その高さに相当する部分が欠除され、欠除されず、残った段差部分Ｌの、少なくとも前記前記他方の欠除された側の水平上面Ｎの中心に開口し、高さ方向に伸びる穴３２が穿けられている（図５（ａ），（ｂ）参照）。しかも、前記ブロックＣＢ，ＣＢの二つが、前記段差部分Ｋ，Ｌの相対する上下の面Ｍ，Ｎを接するよう、その一方の突起３１が、他方の穴３２に、その伸長方向にのみ嵌合することによって、そのブロックＣＢ，ＣＢの二つが長手水平方向、直線状（図５（ｃ）参照）又はＬ字状（図５（ｄ）参照）に連結されるよう構成されている。
【００３７】
例えば一方のブロックＣＢの穴３２に他方の突起３１が嵌合されることによって、二つ以上のブロックＣＢが容易に且つ精確に長手水平方向（図５（ｃ）参照）、直線状又はＬ字状（図５（ｄ）参照）に連結される。しかも、その連結の状態は、何らのモルタル等の接合手段がなくても、強固に保持され、いずれか一つのブロックＣＢが側面Ｂを下にして倒れたり、上から見て、互いに、ずれたり、折れたりすることはなく、その４つによって得られた正方形状枠体Ｆは、ワイヤ・バンド等の締め付け部材がなくても、型崩れしない。なお、二つのブロックＣＢ，ＣＢが長手水平方向、直線状に接合、配列されることによって、図示は省略するが、１辺の長さが２倍の正方形状枠体も形成可能である。また、図示は省略するが、前記段差部分Ｋ，Ｌの端面が断面半円状に形成されることによって、２つのブロックＣＢ，ＣＢが、突起３１，穴３２の周りに回転可能になり、任意の角度でで開いた（又は折れた）形態に連結され、多角形枠体も形成可能になる。
【図面の簡単な説明】
【００３８】
【図１】本発明の有機廃棄物の堆肥化減容装置を実施するための最良の形態例を示す、（ａ）は正面図、（ｂ）は側面図、（ｃ）はそれにに使用される枠体及びそれを構成するブロック平面図である。
【図２】図１の透水性筒状体を構成する、それぞれ長さの異なる複数のブロックを示す正面図である。
【図３】図１の透水性筒状体を構成する、他のブロックの実施態様例であって、それぞれ（ａ）はその連結前の状態を示す平面図、（ｂ）は、直線状に連結された状態を示す平面図である。
【図４】図１の透水性筒状体を構成する、３番目のブロックの実施態様例であって、それぞれ（ａ）はその連結前の状態を示す平面図、（ｂ）は、Ｌ字状に連結された状態を示す平面図である。
【図５】図１の透水性筒状体を構成する、４番目のブロックの実施態様例であって、それぞれ（ａ）は単体の正面図、（ｂ）はその連結前の状態を示す平面図、（ｃ）は直線状に連結された状態を示す平面図、（ｄ）はＬ字状に連結された状態を示す平面図である。
【符号の説明】
【００３９】
１１  主部分
１５  副部分
１６  直方体部分
１７  突条
２１  突条
２２  凹溝
３１  突起
３２  穴
５０  筒状体
５１  上部開口
５２  下部開口
６０  屋根
６１  蓋
６２  投入口
６３  留具
６４  通気窓
７０  格子
８０  中空管
８１  支持棒
１００  基礎
Ａ    端面
Ｂ    側面
Ｃ１  角部
Ｃ２  角部
ＣＢ  ブロック
Ｆ    多角形枠体（正方形状枠体）
Ｈ    中空部
Ｊ    結合補強材
Ｋ    段差部分
Ｌ    段差部分
Ｍ    水平下面
Ｎ    水兵上面
Ｐ    露出端面
Ｑ    露出端面
【図１】
2005170779.tif 000003
【図２】
2005170779.tif 000004
【図３】
2005170779.tif 000005
【図４】
2005170779.tif 000006
【図５】
2005170779.tif 000007